【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
（ａ）
ｉ）両性イオン性モノマーもしくはポリアルキレングリコールモノマー、
ｉｉ）シリコーンもしくはフルオロカーボンモノマー、もしくはこれらの組合せ、または
ｉｉｉ）アルキルで置換されたメタクリレート、アクリレート、アクリルアミド、もしくはビニルモノマー、もしくはこれらの組合せ
のうちの２種またはそれより多くから形成されるオリゴマー性またはポリマー性添加剤
を含む、表面改質化添加剤組成物と、
（ｂ）ベースポリマーと
を含む、アニールされた表面改質されたポリマー組成物。
【請求項２】
前記オリゴマー性またはポリマー性添加剤が、ランダム、ブロック、グラフト、または分枝状のポリマーまたはコポリマーである、請求項１に記載のアニールされた表面改質されたポリマー組成物。
【請求項３】
前記シリコーンもしくはフルオロカーボンモノマーが、全モノマー組成物の５ｗｔ％から４０ｗｔ％の量で前記添加剤中に存在し、好ましくは、前記シリコーンモノマーが、官能化ポリシロキサンを含む、請求項１または２に記載のアニールされた表面改質されたポリマー組成物。
【請求項４】
前記両性イオン性モノマーが、前記全モノマー組成物の１０ｗｔ％から４０ｗｔ％の量で存在し、好ましくは、前記両性イオン性モノマーが、ホスホリルコリン、カルボキシベタイン、またはスルホベタインモノマーを含む、請求項１から３までのいずれかに記載のアニールされた表面改質されたポリマー組成物。
【請求項５】
前記フルオロカーボンモノマーが、官能化フルオロカーボンを含む、請求項１から３に記載のアニールされた表面改質されたポリマー組成物。
【請求項６】
前記ポリアルキレングリコールモノマーが、前記全モノマー組成物の１０ｗｔ％から５０ｗｔ％の量で存在し、好ましくは、前記ポリアルキレングリコールモノマーが、モノメチルポリエチレングリコールメタクリレートである、請求項１から５までのいずれかに記載のアニールされた表面改質されたポリマー組成物。
【請求項７】
前記アルキルまたは他の基で置換されたメタクリレート、アクリレート、アクリルアミド、またはビニルモノマーが、前記全モノマー組成物の１０ｗｔ％から７０ｗｔ％の量で存在し、好ましくは、前記アルキルまたは他の基で置換されたメタクリレート、アクリレート、アクリルアミド、またはビニルモノマーが、メタクリル酸メチルを含む、請求項１に記載のアニールされた表面改質されたポリマー組成物。
【請求項８】
前記ホスホリルコリンモノマーが、２−ヒドロキシエチルメタクリレートホスホリルコリンを含む、請求項４に記載のアニールされた表面改質されたポリマー組成物。
【請求項９】
前記添加剤組成物が、１０００から５０，０００ダルトンの分子量（Ｍｎ）を有する、請求項１から８までのいずれかに記載のアニールされた表面改質されたポリマー組成物。
【請求項１０】
前記添加剤組成物が、少なくとも５０パーセント、または少なくとも６０パーセント、または少なくとも７０パーセントの、タンパク質吸収の低減をもたらす、請求項１から９までのいずれかに記載のアニールされた表面改質されたポリマー組成物。
【請求項１１】
前記表面改質化添加剤組成物が前記ベースポリマーに添加されてブレンドを形成する、請求項１から１０までのいずれかに記載のアニールされた表面改質されたポリマー組成物。
【請求項１２】
前記ベースポリマーが、ナイロン、ポリエチレン、ポリエステル、熱可塑性ポリウレタン、ポリ塩化ビニル、ポリスルホン、ポリシロキサン、ポリプロピレン、ポリカーボネート、ポリエーテルスルホン、ポリエーテルエーテルケトン、ポリラクチド（ＰＬＡ）ポリマー、ポリラクチド−ｃｏ−グリコリド（ＰＬＧ）ポリマー、ポリカプロラクトンポリマー、ポリジオキサノールポリマー、ポリ（１，３−トリメチレンカーボネート）ポリマー、ポリチロシンカーボネートポリマー、ポリアクリレート、ポリメタクリレート、ポリ乳酸、ポリグリコール酸、およびこれらの組合せを含む、請求項１から１１までのいずれかに記載のアニールされた表面改質されたポリマー組成物。
【請求項１３】
前記熱可塑性ポリウレタンが、熱可塑性ポリウレタンブレンドを形成するための１種または複数の追加の熱可塑性ポリウレタンをさらに含む、請求項１２に記載のアニールされた表面改質されたポリマー組成物。
【請求項１４】
前記表面改質化添加剤組成物が、０．１ｗｔ％から１０ｗｔ％の量で前記ポリマー組成物中に存在する、請求項１から１３までのいずれかに記載のアニールされた表面改質されたポリマー組成物。
【請求項１５】
ａ）ｉ）両性イオン性モノマーもしくはポリアルキレングリコールモノマー、ｉｉ）シリコーンもしくはフルオロカーボンモノマーもしくはこれらの組合せ、またはｉｉｉ）アルキルで置換されたメタクリレート、アクリレート、アクリルアミド、もしくはビニルモノマー、もしくはこれらの組合せを含む、オリゴマー性またはポリマー性添加剤を形成することと、
ｂ）前記添加剤をベースポリマーに組み込むことと、
ｃ）ポリマー組成物をアニールすることと
を含む、アニールされた表面改質されたポリマー組成物を作製する方法。
【請求項１６】
請求項１から１４までのいずれかに記載のアニールされた表面改質されたポリマー組成物を含む物品であって、前記オリゴマー性またはポリマー性添加剤が前記ベースポリマーに組み込まれている、物品。
【手続補正２】
【補正対象書類名】明細書
【補正対象項目名】０１４３
【補正方法】変更
【補正の内容】
【０１４３】
ある代表的な実施形態および詳細を、本明細書に記述される本技術を例示する目的で示してきたが、そこには、本発明の範囲から逸脱することなく様々な変更および改変を行うことができることが、当業者に明らかである。これに関し、本明細書に記述される技術の範囲は、添付の特許請求の範囲によってのみ限定される。
一実施形態において、例えば、以下の項目が提供される。
（項目１）
ｉ）両性イオン性モノマーもしくはポリアルキレングリコールモノマー、
ｉｉ）シリコーンもしくはフルオロカーボンモノマー、もしくはこれらの組合せ、または
ｉｉｉ）アルキルで置換されたメタクリレート、アクリレート、アクリルアミド、もしくはビニルモノマー、もしくはこれらの組合せ
のうちの２種またはそれ超から形成されるオリゴマー性またはポリマー性添加剤
を含む、表面改質化添加剤組成物。
（項目２）
前記オリゴマー性またはポリマー性添加剤が、ランダム、ブロック、グラフト、または分枝状のポリマーまたはコポリマーである、項目１に記載の表面改質化添加剤組成物。
（項目３）
前記シリコーンもしくはフルオロカーボンモノマーが、全モノマー組成物の５ｗｔ％から４０ｗｔ％の量で前記添加剤中に存在する、項目１または２に記載の表面改質化添加剤組成物。
（項目４）
前記シリコーンモノマーが、官能化ポリシロキサンを含む、項目３に記載の表面改質化添加剤組成物。
（項目５）
前記両性イオン性モノマーが、前記全モノマー組成物の１０ｗｔ％から４０ｗｔ％の量で存在する、項目１から４までのいずれかに記載の表面改質化添加剤組成物。
（項目６）
前記両性イオン性モノマーが、ホスホリルコリン、カルボキシベタイン、またはスルホベタインモノマーを含む、項目５に記載の表面改質化添加剤組成物。
（項目７）
前記フルオロカーボンモノマーが、官能化フルオロカーボンを含む、項目１から３に記載の表面改質化添加剤組成物。
（項目８）
前記ポリアルキレングリコールモノマーが、前記全モノマー組成物の１０ｗｔ％から５０ｗｔ％の量で存在する、項目１から７までのいずれかに記載の表面改質化添加剤組成物。
（項目９）
前記ポリアルキレングリコールモノマーが、モノメチルポリエチレングリコールメタクリレートである、項目８に記載の表面改質化添加剤組成物。
（項目１０）
前記アルキルまたは他の基で置換されたメタクリレート、アクリレート、アクリルアミド、またはビニルモノマーが、前記全モノマー組成物の１０ｗｔ％から７０ｗｔ％の量で存在する、項目１に記載の表面改質化添加剤組成物。
（項目１１）
前記アルキルまたは他の基で置換されたメタクリレート、アクリレート、アクリルアミド、またはビニルモノマーが、メタクリル酸メチルを含む、項目１０に記載の表面改質化添加剤組成物。
（項目１２）
前記ホスホリルコリンモノマーが、２−ヒドロキシエチルメタクリレートホスホリルコリンを含む、項目６に記載の表面改質化添加剤組成物。
（項目１３）
１０００から５０，０００ダルトンの分子量（Ｍｎ）を有する、項目１から１２までのいずれかに記載の表面改質化添加剤組成物。
（項目１４）
前記添加剤組成物が、少なくとも５０パーセント、または少なくとも６０パーセント、または少なくとも７０パーセントの、タンパク質吸収の低減をもたらす、項目１から１３までのいずれかに記載の表面改質化添加剤組成物。
（項目１５）
ａ）項目１から１４までのいずれかに記載の表面改質化添加剤組成物と、
ｂ）ベースポリマーと
を含む、表面改質されたポリマー組成物。
（項目１６）
前記表面改質化添加剤組成物が前記ベースポリマーに添加されてブレンドを形成する、項目１５に記載の表面改質されたポリマー組成物。
（項目１７）
前記ベースポリマーが、ナイロン、ポリエチレン、ポリエステル、熱可塑性ポリウレタン、ポリ塩化ビニル、ポリスルホン、ポリシロキサン、ポリプロピレン、ポリカーボネート、ポリエーテルスルホン、ポリエーテルエーテルケトン、ポリラクチド（ＰＬＡ）ポリマー、ポリラクチド−ｃｏ−グリコリド（ＰＬＧ）ポリマー、ポリカプロラクトンポリマー、ポリジオキサノールポリマー、ポリ（１，３−トリメチレンカーボネート）ポリマー、ポリチロシンカーボネートポリマー、ポリアクリレート、ポリメタクリレート、ポリ乳酸、ポリグリコール酸、およびこれらの組合せを含む、項目１５または１６に記載の表面改質されたポリマー組成物。
（項目１８）
前記ベースポリマーが、熱可塑性ポリウレタンを含む、項目１７に記載の表面改質されたポリマー組成物。
（項目１９）
熱可塑性ポリウレタンブレンドを形成するための１種または複数の追加の熱可塑性ポリウレタンをさらに含む、項目１９に記載の表面改質されたポリマー組成物。
（項目２０）
前記表面改質されたポリマー組成物が、非タンパク質汚損性、非血栓形成性、またはこれらの組合せである、項目１５から１９までのいずれかに記載の表面改質されたポリマー組成物。
（項目２１）
前記表面改質化添加剤組成物が、０．１ｗｔ％から１０ｗｔ％の量で前記ポリマー組成物中に存在する、項目１５から２０までのいずれかに記載の表面改質されたポリマー組成物。
（項目２２）
ａ）ｉ）両性イオン性モノマーもしくはポリアルキレングリコールモノマー、ｉｉ）シリコーンもしくはフルオロカーボンモノマーもしくはこれらの組合せ、またはｉｉｉ）アルキルで置換されたメタクリレート、アクリレート、アクリルアミド、もしくはビニルモノマー、もしくはこれらの組合せを含む、オリゴマー性またはポリマー性添加剤を形成することと、
ｂ）前記添加剤をベースポリマーに組み込むことと
を含む、表面改質されたポリマー組成物を作製する方法。
（項目２３）
前記添加剤を組み込むことが、前記添加剤を前記ベースポリマーに溶融処理すること、または前記ポリマーの合成中に前記添加剤を添加することを含む、項目２２に記載の方法。
（項目２４）
前記ポリマー組成物をアニールすることをさらに含む、項目２２または２３に記載の方法。
（項目２５）
アニールすることが、前記ベースポリマーのガラス転移温度程度から前記ベースポリマーの融点程度までの温度で行われる、項目２４に記載の方法。
（項目２６）
前記アニールすることが、約５０℃から約１５０℃の温度で２時間から最長約７日間の期間にわたり行われる、項目２２から２５までのいずれかに記載の方法。
（項目２７）
前記ベースポリマーが、ナイロン、ポリエチレン、ポリエステル、熱可塑性ポリウレタン、ポリ塩化ビニル、ポリスルホン、ポリシロキサン、ポリプロピレン、ポリカーボネート、ポリエーテルスルホン、ポリエーテルエーテルケトン、ポリラクチド（ＰＬＡ）ポリマー、ポリラクチド−ｃｏ−グリコリド（ＰＬＧ）ポリマー、ポリカプロラクトンポリマー、ポリジオキサノールポリマー、ポリ（１，３−トリメチレンカーボネート）ポリマー、ポリチロシンカーボネートポリマー、ポリアクリレート、ポリメタクリレート、ポリ乳酸、ポリグリコール酸、およびこれらの組合せを含む、項目２２から２７までのいずれかに記載の方法。
（項目２８）
表面改質化ポリマー組成物を含む物品であって、前記表面改質化ポリマー組成物が、
ａ）ｉ）両性イオン性モノマーもしくはポリアルキレングリコールモノマー、
ｉｉ）シリコーンもしくはフルオロカーボンモノマー、もしくはそれらの組合せ、
または
ｉｉｉ）アルキルで置換されたメタクリレート、アクリレート、アクリルアミド、もしくはビニルモノマー、もしくはこれらの組合せ
のうちの２種またはそれ超から形成されるオリゴマー性またはポリマー性添加剤と、
ｂ）ベースポリマーと
を含み、前記オリゴマー性またはポリマー性添加剤が前記ベースポリマーに組み込まれている、物品。
（項目２９）
前記ポリマー組成物が、前記物品を形成する材料上にコーティングされる、項目２８に記載の物品。
（項目３０）
前記ポリマー組成物が、浸漬コーティング、ロールツーロールコーティング、スピンコーティング、または噴霧コーティングを利用してコーティングされる、項目２７または２８に記載の物品。
（項目３１）
前記コーティングが、１マイクロメートルから２００マイクロメートルの厚さで塗布されている、項目３０に記載の物品。
（項目３２）
前記ベースポリマーが、ナイロン、ポリエチレン、ポリエステル、熱可塑性ポリウレタン、ポリ塩化ビニル、ポリスルホン、ポリシロキサン、ポリプロピレン、ポリカーボネート、ポリエーテルスルホン、ポリエーテルエーテルケトン、ポリラクチド（ＰＬＡ）ポリマー、ポリラクチド−ｃｏ−グリコリド（ＰＬＧ）ポリマー、ポリカプロラクトンポリマー、ポリジオキサノールポリマー、ポリ（１，３−トリメチレンカーボネート）ポリマー、ポリチロシンカーボネートポリマー、ポリアクリレート、ポリメタクリレート、ポリ乳酸、ポリグリコール酸、およびこれらの組合せを含む、項目２８から３１までのいずれかに記載の物品。
（項目３２）
前記物品が、医療用デバイスを含む、項目２８から３１のいずれかに記載の物品。
（項目３３）
前記医療用デバイスが、血管造影用カテーテル、血管形成用カテーテル、泌尿器科用カテーテル、透析用カテーテル、Ｓｗａｎ−Ｇａｎｚカテーテル、中心静脈カテーテル、末梢挿入中心静脈カテーテル、カテーテルコネクター、透析膜、医療用チューブ、創傷ケア物品、および整形用品、神経埋没物、フィルム、ドレープ、バイオセンサー、歯科用埋没物、心臓弁、心臓バイパス機、体外血液デバイス、神経導管、血管移植片、ステント、埋没物、またはコンタクトレンズのうちの１種または複数を含む、項目３２に記載の物品。
（項目３４）
前記創傷ケア物品が、創傷閉鎖材、ステープル、縫合糸、メッシュ、支持デバイス、縫合補強材、または創傷ケア被覆材のうちの１種または複数を含む、項目３３に記載の物品。
（項目３５）
前記整形用品が、くぎ、ねじ、プレート、ケージ、またはプロテーゼのうちの１種または複数を含む、項目３３に記載の物品。
（項目３６）
前記神経埋没物が、ドレインまたはシャントのうちの１種または複数を含む、項目３３に記載の物品。
（項目３７）
前記埋没物が、眼用埋没物、蝸牛用埋没物、または乳房埋没物のうちの１種または複数を含む、項目３３に記載の物品。
（項目３８）
前記物品が、パーソナルケア用品、医薬用品、ヘルスケア製品、または船舶用品である、項目２８に記載の物品。
（項目３９）
項目２８に記載の物品を作製する方法であって、
ａ）表面改質化ポリマー組成物を作製することと、
ｂ）前記物品を形成することと
を含む、方法。